(57)【特許請求の範囲】
【請求項１】
第１のテレビ信号が入力され、前記第１のテレビ信号のデジタル映像データ及び前記第１のテレビ信号の第１の垂直同期信号を出力するビデオデコーダーと、
前記デジタル映像データを記憶するフレームメモリと、
第２の垂直同期信号に基づき前記フレームメモリから前記デジタル映像データを読み出し、読み出された前記デジタル映像データ及び前記第２の垂直同期信号を出力する出力制御部と、
前記出力制御部から出力された前記デジタル映像データを、前記第２の垂直同期信号に同期して表示する表示器と、
１フレームの前記デジタル映像データの前記フレームメモリへの書き込みを開始させる前記第１の垂直同期信号と、前記フレームメモリに書き込まれた前記デジタル映像データの読み出しを開始させる前記第２の垂直同期信号とのタイミングのずれを示すずれ情報であって前記表示器にノイズを発生させないタイミング情報を記憶するタイミング情報記憶部と、
前記ビデオデコーダーから前記第１の垂直同期信号が入力されるたびに、前記第１の垂直同期信号と前記タイミング情報に基づいて、前記第２の垂直同期信号を出力させるように、前記出力制御部を制御する制御部と
を備え、
前記タイミング情報記憶部は、前記第１の垂直同期信号と前記第２の垂直同期信号とのタイミングのずれを示すずれ情報であって前記表示器にノイズを発生させるタイミング禁止情報を記憶し、
前記制御部は、前記出力制御部を制御して、前記第１の垂直同期信号と前記第２の垂直同期信号とのタイミングのずれが前記タイミング禁止情報が示すずれである場合には前記タイミング禁止情報が示すずれを超えるように前記第２の垂直同期信号を出力させる
ことを特徴とする映像表示装置。
【請求項２】
前記出力制御部は、前記表示器の垂直描画期間における非表示部分のライン数を増減することによって、前記第２の垂直同期信号のタイミングを調整することを特徴とする請求項１に記載の映像表示装置。
【請求項３】
前記制御部は、前記第２の垂直同期信号の周期を、前記第１の垂直同期信号の周期と前記表示器が対応可能な垂直同期信号の周期の最小公倍数の周期にすることを特徴とする請求項１に記載の映像表示装置。
【請求項４】
第２のテレビ信号及び第３のテレビ信号が入力され、前記制御部からの制御信号に応じて、前記第２のテレビ信号又は前記第３のテレビ信号のいずれかを前記第１のテレビ信号として前記ビデオデコーダーに供給する切り替え部と、
前記第２のテレビ信号の垂直同期信号と前記第３のテレビ信号の垂直同期信号のタイミングのずれを記憶するずれ記憶部と
を備え、
前記出力制御部は、前記表示器の何ライン目を描画しているのかを示すライン情報を取得するライン情報取得部を含み、
前記切り替え部が、出力される信号を前記第２のテレビ信号から前記第３のテレビ信号に切り替える前に、
前記制御部は、前記ずれ記憶部に記憶されているずれ情報に基づき、前記第２のテレビ信号の垂直同期信号と前記第３のテレビ信号の垂直同期信号のずれを減少させる方向に、前記出力制御部から出力される前記第２の垂直同期信号を制御し、
前記ずれ情報の任意の部分まで制御が完了した時点で、前記制御部は前記切り替え部に、出力される信号を前記第２のテレビ信号から前記第３のテレビ信号に切り替えるように構成する
ことを特徴とする請求項１乃至３のいずれか１項に記載の映像表示装置。
【請求項５】
前記制御部は、
エレベータかごの運行制御を行うエレベータ制御部からのエレベータ速度情報を受け取り、
前記エレベータ速度情報に基づくタイミングで、前記切り替え部から出力される信号を前記第２のテレビ信号から前記第３のテレビ信号に切り替える
ことを特徴とする請求項４に記載の映像表示装置。
【請求項６】
前記制御部は、前記エレベータ速度情報に基づき、エレベータ速度の範囲内で前記第２の垂直同期信号の調整が完了するように、前記第２の垂直同期信号を調整するパラメータを制御する手段を有することを特徴とする請求項５に記載の映像表示装置。
【請求項７】
前記制御部は、
エレベータかごの運行制御を行うエレベータ制御部からのエレベータかごが停止する予定の階床の情報とエレベータかごの現在の位置情報を受け取り、
エレベータかごが停止する予定の階床の情報とエレベータかごの現在の位置情報の差に基づき、前記第２のテレビ信号から、前記第３のテレビ信号の切り替え制御を行う
ことを特徴とする請求項４乃至６のいずれか１項に記載の映像表示装置。
【請求項８】
前記制御部は、前記第２のテレビ信号を第１のテレビ信号として出力するように前記切り替え部を制御し、
前記第１のテレビ信号が前記ビデオデコーダーに入力され、前記ビデオデコーダーから出力される第１の垂直同期信号に基づいて、前記制御部が前記出力制御部から前記タイミング情報に基づくタイミングだけずらすように第２の垂直同期信号を出力するように調整を完了した状態から、
前記制御部は、前記第３のテレビ信号を第１のテレビ信号として出力するように前記切り替え部を制御し、
前記第３のテレビ信号が前記切り替え部を介して第１のテレビ信号として前記ビデオデコーダーに入力し、
前記制御部は、前記ビデオデコーダーから出力される第１の垂直同期信号を受信したときに、前記ライン情報取得部からライン情報を取得し、
前記ライン情報を前記第２のテレビ信号から第３のテレビ信号の垂直同期信号のずれ情報として、前記ずれ記憶部に記憶する
ことを特徴とする請求項４乃至７のいずれか１項に記載の映像表示装置。
【発明の詳細な説明】
【技術分野】
【０００１】
本発明は、テレビ信号に基づく映像を表示する映像表示装置に関するものである。
【背景技術】
【０００２】
近年、エレベータシステムにおいて、監視カメラをエレベータかご内又はエレベータ乗り場に設置し、管理人室又は警備会社で、監視映像を表示又は記録することが行われている。また、エレベータかご内又はエレベータ乗り場などに映像表示装置を設置し（例えば、特許文献１参照）、これに監視映像などを表示させるシステム（例えば、簡易防犯システム）も普及しつつある。さらに、監視映像を表示させる映像表示装置に、ビルのインフォメーションビデオ（例えば、施設案内）などの利用者向け情報を表示することも行われている。ここで、監視カメラの映像は、例えば、ＣＣＤイメージセンサーやＣＭＯＳイメージセンサーによって撮影された映像である。また、インフォメーションビデオは、例えば、ＤＶＤプレーヤーやＢｌｕ−ｒａｙ  Ｄｉｓｃプレーヤーなどの再生装置（プレーヤー）を用いて情報記録媒体から再生された映像である。
【０００３】
監視カメラ及び／又はプレーヤーと映像表示装置とからなるシステムを構成する場合には、ＮＴＳＣ（Ｎａｔｉｏｎａｌ  Ｔｅｌｅｖｉｓｉｏｎ  Ｓｙｓｔｅｍ  Ｃｏｍｍｉｔｔｅ）信号、ＰＡＬ（Ｐｈａｓｅ  Ａｌｔｅｒｎａｔｉｏｎ  ｂｙ  Ｌｉｎｅ）信号、又はＳＥＣＡＭ（ＳＥｑｕｅｎｔｉａｌ  Ｃｏｕｌｅｕｒ  Ａ  Ｍｅｍｏｉｒｅ）信号などのテレビ信号を用いることが、一般的かつ低コストである。そのため、監視カメラによる撮影信号及びプレーヤーによる再生信号としてはテレビ信号が用いられ、映像表示装置は入力されたテレビ信号に基づく映像を、液晶パネルなどの表示器に表示する。
【０００４】
映像表示装置では、入力されたテレビ信号をデジタル映像データに変換し、垂直同期信号に基づいて１画面を認識し、液晶パネルの同期信号に同期して１画面の表示を行う。この処理を連続的に行うことで、映像が表示される。入力されるテレビ信号の同期信号と液晶パネルの同期信号とは必ずしも一致しないため、１又は２画面分のフレームメモリにテレビ信号から変換されたデジタル映像データを一旦保存し、フレームメモリからデジタル映像データを読み出して液晶パネルに映像を表示することが一般的である。
【０００５】
ところが、フレームメモリを用いて、デジタル映像データの書き込みと、書き込まれたデジタル映像データの読み出しを行う場合には、１フレーム分のデジタル映像データの書き込みの途中で、データの読み出しを行ってしまうことがあり、この場合には、表示映像にノイズが発生することがあるという問題があった。この問題を解決するために、ディスプレイ（表示器）の垂直同期周波数にしたがって、フレームメモリからデータを読み出す装置が提案されている（例えば、特許文献２参照）。
【先行技術文献】
【特許文献】
【０００６】
【特許文献１】特開平７−３０９５４５号公報（図２）
【特許文献２】特開２００８−１９７３９４号公報（段落０００８、図１）
【発明の概要】
【発明が解決しようとする課題】
【０００７】
しかしながら、特許文献２の装置においては、入力側のテレビ信号の垂直同期信号に同期してフレームメモリにデータを書き込み、表示器の垂直同期信号に同期してフレームメモリからデータを読み出している。このため、１フレーム分のフレームメモリを用いて映像を表示器に表示する場合には、１フレーム期間以内にデータの読み出しを行なうことが必要であり、表示器に出力する垂直同期信号は、入力側のテレビ信号の垂直同期信号に同期させることになる。したがって、入力側のテレビ信号が、プレーヤーの再生信号からカメラの撮影信号に切り替えられた場合には、表示器に出力する垂直同期信号をも切り替える必要がある。ところが、プレーヤーの垂直同期信号とカメラの垂直同期信号とのずれ方によっては、フレームメモリへの１フレームのデータの書き込みが完了する前に、データが読み出されてしまい、表示映像にノイズが発生してしまうという問題があった。
【０００８】
そこで、本発明は、上記従来技術の課題を解決するためになされたものであり、その目的は、表示映像のノイズの発生を防止することができる映像表示装置を提供することにある。
【課題を解決するための手段】
【０００９】
本発明に係る映像表示装置は、第１のテレビ信号が入力され、前記第１のテレビ信号のデジタル映像データ及び前記第１のテレビ信号の第１の垂直同期信号を出力するビデオデコーダーと、前記デジタル映像データを記憶するフレームメモリと、第２の垂直同期信号に基づき前記フレームメモリから前記デジタル映像データを読み出し、読み出された前記デジタル映像データ及び前記第２の垂直同期信号を出力する出力制御部と、前記出力制御部から出力された前記デジタル映像データを、前記第２の垂直同期信号に同期して表示する表示器と、１フレームの前記デジタル映像データの前記フレームメモリへの書き込みを開始させる前記第１の垂直同期信号と、前記フレームメモリに書き込まれた前記デジタル映像データの読み出しを開始させる前記第２の垂直同期信号とのタイミングのずれを示すずれ情報であって前記表示器にノイズを発生させないタイミング情報を記憶するタイミング情報記憶部と、前記ビデオデコーダーから前記第１の垂直同期信号が入力されるたびに、前記第１の垂直同期信号と前記タイミング情報に基づいて、前記第２の垂直同期信号を出力させるように、前記出力制御部を制御する制御部とを備え、前記タイミング情報記憶部は、前記第１の垂直同期信号と前記第２の垂直同期信号とのタイミングのずれを示すずれ情報であって前記表示器にノイズを発生させるタイミング禁止情報を記憶し、前記制御部は、前記出力制御部を制御して、前記第１の垂直同期信号と前記第２の垂直同期信号とのタイミングのずれが前記タイミング禁止情報が示すずれである場合には前記タイミング禁止情報が示すずれを超えるように前記第２の垂直同期信号を出力させることを特徴としている。
【発明の効果】
【００１０】
本発明によれば、第１の垂直同期信号とタイミング情報に基づいて第２の垂直同期信号を出力させるように、出力制御部を制御するので、フレームメモリに対するデジタル映像データの書き込み及び読み出しタイミングに起因する表示映像のノイズの発生を低減することができる。
【図面の簡単な説明】
【００１１】
【図１】本発明の実施の形態１に係る映像表示装置の構成を概略的に示すブロック図である。
【図２】実施の形態１に係る映像表示装置の液晶パネルのライン数及び画素数の説明図である。
【図３】実施の形態１に係る映像表示装置における垂直同期信号のずれの説明図である。
【図４】実施の形態１に係る映像表示装置における初期設定の処理を示すフローチャートである。
【図５】実施の形態１に係る映像表示装置におけるフレームメモリへの書き込み及びフレームメモリからの読み出しの説明図である。
【図６】実施の形態１に係る映像表示装置において、切り替え部から出力されるテレビ信号をカメラの撮影信号からプレーヤーの再生信号に切り替えたときのずれ情報の取得処理を示すフローチャートである。
【図７】実施の形態１に係る映像表示装置において、切り替え部から出力されるテレビ信号をプレーヤーの再生信号からカメラの撮影信号に切り替えたときのずれ情報の取得処理を示すフローチャートである。
【図８】実施の形態１に係る映像表示装置におけるエレベータの速度と液晶パネルの垂直同期信号のずらし方（垂直同期周波数の変更の仕方）の説明図である。
【図９】実施の形態１に係る映像表示装置において、ずれ情報を用いて、切り替え部から出力されるテレビ信号をプレーヤーの再生信号からカメラの撮影信号に切り替えるときの処理を示すフローチャートである。
【図１０】本発明の実施の形態２に係る映像表示装置における、切り替え部から出力されるテレビ信号をプレーヤーの再生信号からカメラの撮影信号に切り替えるときの処理（タイミング禁止情報を用いる処理）を示すフローチャートである。
【図１１】本発明の実施の形態３に係る映像表示装置における、エレベータの速度と液晶パネルの垂直同期信号のずらし方（垂直同期周波数の変更の仕方）の説明図である。
【図１２】実施の形態３に係る映像表示装置における、エレベータの速度と液晶パネルの垂直同期信号のずらし方（垂直同期周波数の変更の仕方）の他の例の説明図である。
【図１３】実施の形態３に係る映像表示装置における、ずれ情報とエレベータ速度情報を用いて、切り替え部から出力されるテレビ信号をプレーヤーの再生信号からカメラの撮影信号に切り替えるときの処理を示すフローチャートである。
【図１４】本発明の実施の形態４に係る映像表示装置における、エレベータの「かご停止予定階床情報」及び「かご位置情報」と液晶パネルの垂直同期信号のずらし方（垂直同期周波数の変更の仕方）の一例の説明図である。
【図１５】本発明の実施の形態５に係る映像表示装置における垂直同期信号のずれ（垂直同期周波数の差によるずれ）の説明図である。
【図１６】実施の形態５に係る映像表示装置において、切り替え部から出力されるテレビ信号をプレーヤーの再生信号からカメラの撮影信号に切り替えるときの処理を示すフローチャートである。
【発明を実施するための形態】
【００１２】
実施の形態１．
図１は、本発明の実施の形態１に係る映像表示装置１の構成を概略的に示すブロック図である。図１に示されるように、映像表示装置１には、カメラ（撮像装置）２と、ＤＶＤやＢｌｕ−ｒａｙ  Ｄｉｓｃなどの情報記録媒体の再生装置（プレーヤー）３とが接続されている。また、映像表示装置１は、例えば、エレベータ用映像表示装置であり、エレベータシステムを制御するエレベータ制御部４が接続されている。エレベータ制御部４は、エレベータかご（図示せず）の運行制御や、エレベータドア（図示せず）の開閉制御などを行う。エレベータ制御部４は、エレベータの速度情報や、エレベータかごの現在位置を示すかご位置情報などを出力する。ただし、映像表示装置１は、エレベータシステム以外の他のシステム（例えば、システム動作と映像との同期を確保する必要があるシステム）の制御装置に連動させることもできる。
【００１３】
図１に示されるように、映像表示装置１は、切り替え部１１と、ビデオデコーダー１２と、フレームメモリ１３と、出力制御部１４と、表示器の一例としての液晶パネル１６と、制御部１７と、ずれ記憶部１８と、タイミング情報記憶部１９とを有している。
【００１４】
切り替え部１１は、カメラ２又はプレーヤー３から出力されるテレビ信号（ＮＴＳＣ信号、ＰＡＬ信号、又はＳＥＣＡＭ信号など）が入力され、カメラ２から出力されたテレビ信号（撮影信号）又はプレーヤー３から出力されたテレビ信号（再生信号）のいずれかを選択的にビデオデコーダー１２に出力する。
【００１５】
ビデオデコーダー１２は、切り替え部１１から出力されたテレビ信号を、デジタル映像データ、ドットクロック、水平同期信号、及び垂直同期信号に変換し、デジタル映像データとして出力する。
【００１６】
フレームメモリ１３は、ビデオデコーダー１２から出力されたデジタル映像データを、ドットクロック及び垂直同期信号に基づいて、１フレーム毎、記憶する。
【００１７】
出力制御部１４は、フレームメモリ１３から１フレームのデジタル映像データを読み出し、表示用の（実施の形態１においては、液晶パネル１６用の）ドットクロック、水平同期信号、及び垂直同期信号を生成して、液晶パネル１６に出力する。また、出力制御部１４は、液晶パネル１６の描画について、現在、何ライン目の水平ラインを描画しているのかを示すライン情報を取得するライン情報取得部１５を含む。
【００１８】
ずれ記憶部１８は、カメラ２の垂直同期信号とプレーヤー３の垂直同期信号のタイミングのずれを入力信号のずれ情報として記憶する。
【００１９】
タイミング情報記憶部１９は、ビデオデコーダー１２に入力されるテレビ信号の垂直同期信号（第１の垂直同期信号）と、出力制御部１４から出力される垂直同期信号（第２の垂直同期信号）のタイミングのずれが、フレームメモリ１３に書き込み／読み出しされるデジタル映像データが書き込まれた後、正しく読み出されるタイミングのずれ（すなわち、ノイズを発生させない適切なずれの値）を示す「タイミング情報」を保持する。すなわち、１フレームのデジタル映像データがフレームメモリ１３に書き込まれた後に、出力制御部１４がフレームメモリ１３に書き込まれた１フレームのデジタル映像データを読み出すようするための情報として、第２の垂直同期信号と第１の垂直同期信号のタイミングのずれ情報であるタイミング情報を保持する。また、タイミング情報記憶部１９は、フレームメモリ１３に書き込み／読み出しされるデジタル映像データが、正しく読み出されないタイミングのずれ（すなわち、ノイズを発生させる不適切なずれの値）を示す「タイミング禁止情報」を記憶してもよい。
【００２０】
制御部１７は、エレベータ制御部４から送信されるエレベータ速度情報と、ずれ記憶部１８に記憶されているずれ情報、タイミング情報記憶部１９に記憶される「タイミング情報」及び「タイミング禁止情報」に基づき、切り替え部１１及び出力制御部１４の制御を行う。
【００２１】
次に、映像表示装置１の動作について説明する。まず、液晶パネル１６の垂直同期信号をカメラ２又はプレーヤー３のテレビ信号に含まれる垂直同期信号（第１の垂直同期信号）に同期させる処理と、ずれ記憶部１８に記憶させるずれ情報の取得処理について説明する。
【００２２】
液晶パネルなどの一般的な表示器は、画面の左から右方向に１ラインずつ水平方向に描画する水平走査を、画面の上側のラインから下側のラインまで順次行う。すなわち、画面の１ラインずつ水平方向に左端から右端まで描画し、この１ラインの描画が終了したならば、次のラインの左端から右端までの描画に進むという動作を繰り返す。この「次のラインの描画に進む」タイミングが、水平同期のタイミングである。そして、最終的には、一番下のラインまで描画して、一番上のラインの描画に戻る。この「一番上のラインに戻る」タイミングが、垂直同期のタイミングである。
【００２３】
図２は、実施の形態１に係る映像表示装置１の液晶パネル１６のライン数及び画素数の説明図である。図２における有効画素２１は、液晶パネル１６において表示される部分（表示領域）の画素であって、例えば、パーソナルコンピュータで使用される画面サイズ１０２４×７６８ドットなどである。また、総画素２８の範囲は、有効画素２１及び表示されない部分（非表示領域）を含むすべての画素の範囲である。図２においては、水平同期のタイミングは、水平ラインの描画において、表示画素の位置が総画素２８の範囲の右端から左端に移動するタイミングであり、垂直同期のタイミングは、表示画素の位置が総画素２８の範囲の下端から上端に移動するタイミングである。
【００２４】
水平フロントポーチ２２は、水平同期信号から水平方向の有効画素２１が表示される時点までの期間（水平画素数）を示す。水平バックポーチ２３は、有効画素２１の表示が終了する時点から水平同期期間が終了する時点までの期間（水平画素数）を示す。水平総ライン数２４は、有効画素２１の水平画素数、水平フロントポーチの水平画素数、水平バックポーチの水平画素数、及び水平同期信号期間の水平画素数の合計の画素数である。
【００２５】
垂直フロントポーチ２５は、垂直同期信号から垂直方向の有効画素２１が表示される位置までの垂直画素数（ライン数）を示す。垂直バックポーチ２６は、有効画素２１の表示が終了する位置から垂直同期期間が終了する位置までの垂直画素数（ライン数）を示す。垂直総ライン数２７は、有効画素２１の垂直画素数、垂直フロントポーチの垂直画素数、垂直バックポーチの垂直画素数、及び垂直同期信号期間の垂直画素数の合計の画素数（ライン数）である。なお、総画素２８は、有効画素、水平フロントポーチ、垂直フロントポーチ、水平バックポーチ、垂直バックポーチ、及び同期信号期間を含む総画素である。
【００２６】
一般的な表示器においては、表示されない期間（ブランキング期間）としての、水平同期期間、垂直同期期間、フロントポーチ、及びバックポーチがある程度の余裕を持って設けられており、例えば、垂直バックポーチ２６のライン数を調整することで、垂直描画期間を調整することができ、垂直同期周波数を調整することができる。すなわち、垂直バックポーチ２６のライン数を少なくすると垂直同期周波数が上昇し、垂直バックポーチ２６のライン数を多くすると、垂直同期周波数が低下する。したがって、表示器を用いる映像表示装置１は、カメラ２又はプレーヤー３から出力されるテレビ信号に応じて、液晶パネル１６の垂直同期信号をずらすことができる。
【００２７】
図３は、実施の形態１に係る映像表示装置１における垂直同期信号のずれの説明図である。図３において、水平右方向は時間軸方向である。図３において、カメラ２の垂直同期信号２５１，２５２，…，２５５は、一定周期２５６，２５７，…，２６０である。
【００２８】
液晶パネル１６の垂直描画期間のライン数を、矢印２６６，２６７，…，２７０で示されるように増加させた場合は、液晶パネル１６の垂直同期信号２６１，２６２，…，２６５は、カメラ２の垂直同期信号２５１，２５２，…，２５５に比べて遅れる。その結果、図３に示されるように、液晶パネル１６の垂直同期信号２６１，２６２，…，２６５は、カメラ２の垂直同期信号２５１，２５２，…，２５５よりも遅れる方向にずれる。
【００２９】
逆に、液晶パネル１６の垂直描画期間のライン数を、矢印２７６，２７７，…，２８０で示されるように減少させた場合は、液晶パネル１６の垂直同期信号２７１，２７２，…，２７５は、カメラ２の垂直同期信号２５１，２５２，…，２５５に比べて進む。その結果、図３に示されるように、液晶パネル１６の垂直同期信号２７１，２７２，…，２７５は、カメラ２の垂直同期信号２５１，２５２，…，２５５よりも進む方向にずれる。ただし、液晶パネル１６の垂直描画期間のライン数の上限及び下限は、液晶パネル１６の垂直バックポーチの範囲内に抑える必要があるため、液晶パネル１６の垂直同期周波数の変更幅にも上限及び下限が存在する。
【００３０】
図４は、実施の形態１に係る映像表示装置１の初期設定の処理を示すフローチャートである。同期処理が開始すると（ステップＳ３０１）、制御部１７は、切り替え部１１を制御して、カメラ２から出力されるテレビ信号を、ビデオデコーダー１２に入力させる（ステップＳ３０２）。ビデオデコーダー１２は、垂直同期信号をデジタル信号として出力することができるため、制御部１７は、垂直同期信号が得られるのを待つ（ステップＳ３０３，Ｓ３０４）。制御部１７は、ステップＳ３０４で垂直同期信号を確認すれば、出力制御部１４に含まれるライン情報取得部１５に、ライン情報（何ライン目の水平ラインを描画しているのか）を取得させる（ステップＳ３０５）。
【００３１】
次に、制御部１７は、取得されたライン情報がタイミング情報記憶部１９に記憶されている「タイミング情報」より大きいか否かの判断をし（ステップＳ３０６）、大きい場合は、垂直描画期間のライン数（例えば、垂直バックポーチ２６のライン数）を少なくして（ステップＳ３０７）、垂直同期周波数を上げ、逆に、小さい場合は、垂直描画期間のライン数（例えば、垂直バックポーチ２６のライン数）を多くして（ステップＳ３０８）、垂直同期周波数を下げる。このとき、垂直描画期間のライン数の増減は、液晶パネル１６の垂直描画期間の上限及び下限の範囲内とし、かつ、映像が乱れない範囲とする。このようにして、ビデオデコーダー１２から出力される垂直同期信号に「タイミング情報」（ノイズを発生させないずれの値）だけずれて同期するように、液晶パネル１６の垂直同期信号を設定することができる。
【００３２】
なお、ステップＳ３０６の「タイミング情報」は、以下の判断要素にて決定する。また、フレームメモリ１３にデータを書き込むビデオデコーダー１２の処理は、カメラ２の垂直同期信号（第１の垂直同期信号）に同期して実行される。また、出力制御部１４が、フレームメモリ１３からデジタル映像データを読み出すタイミングは、出力制御部１４が液晶パネル１６にデジタル映像データを書き込むタイミングに依存し、液晶パネル１６にデジタル映像データを書き込むタイミングは、液晶パネル１６の垂直同期信号に応じて変更できる。
【００３３】
図５は、実施の形態１に係る映像表示装置１におけるフレームメモリ１３への書き込み及びフレームメモリ１３からの読み出しの説明図である。図５において、水平右方向は時間軸方向である。カメラ２の垂直同期信号（第１の垂直同期信号）を符号４０１，４０２，…，４０５で示す場合、フレームメモリ１３への書き込みは、符号４０６，４０７，…，４０９で示すタイミングで行われる。一方、液晶パネル１６の垂直同期信号を符号４１１，４１２，…，４１５で示す場合、フレームメモリ１３からの読み出しは、符号４１６，４１７，…，４１９のタイミングで行われる。この書き込み４０６，４０７，…，４０９の垂直同期信号４０１，４０２，…，４０５に対し、読み出し４１６，４１７，…，４１９の垂直同期信号４１１，４１２，…，４１５が遅れる方向にずれている場合には、フレームメモリ１３に書き込まれたデータを正しく読み出すことができ、液晶パネル１６の表示映像に、ノイズの無い良好な映像が表示される。このときのカメラ２の垂直同期信号４０１，４０２，…，４０５と、液晶パネル１６の垂直同期信号４１１，４１２，…，４１５のずれの値（そのときのライン情報の値）４３１を「タイミング情報」として予め設定しておく。
【００３４】
一方、液晶パネル１６の垂直同期信号がカメラ２の垂直同期信号とほぼ一致している場合、例えば、図５の垂直同期信号４２１，４２２，…，４２５のタイミングで、液晶パネル１６の垂直同期信号が動作した場合、フレームメモリ１３からの読み出しは、符号４２６，４２７，…，４２９で示すタイミングで行われる。この場合には、フレームメモリ１３への書き込みとフレームメモリ１３からの読み出しがほぼ同じ時点から開始され、フレームメモリ１３に書き込まれたデータをフレーム単位で正しく読み出しできない状態となり、液晶パネル１６の表示映像にノイズが発生してしまう。このときのカメラ２の垂直同期信号と、液晶パネル１６の垂直同期信号のずれの値（そのときのライン情報の値）を「タイミング禁止情報」として予め設定しておく。
【００３５】
図６は、実施の形態１に係る映像表示装置１において、切り替え部１１から出力されるテレビ信号をカメラ２の撮影信号からプレーヤー３の再生信号に切り替えたときのずれ情報の取得処理を示すフローチャートである。図６は、液晶パネル１６の垂直同期信号が、カメラ２の垂直同期信号に対して、「タイミング情報」（すなわち、図５の符号４３１の期間）だけずれて同期している状態において、切り替え部１１を切り替え、プレーヤー３から出力されるテレビ信号を、ビデオデコーダー１２に入力する場合を示す。
【００３６】
図６に示されるように、ずれ情報の取得処理を開始すると（ステップＳ３２１）、制御部１７は、切り替え部１１を制御して、プレーヤー３から出力されるテレビ信号を、ビデオデコーダー１２に入力させる（ステップＳ３２２）。ビデオデコーダー１２は、垂直同期信号をデジタル信号として出力することができるため、制御部１７は、垂直同期信号が得られるのを待つ（ステップＳ３２３，Ｓ３２４）。制御部１７は、ステップＳ３２４で垂直同期信号が確認されれば、出力制御部１４に含まれるライン情報取得部１５に、ライン情報（何ライン目の水平ラインを描画しているのか）を取得させる（ステップＳ３２５）。
【００３７】
制御部１７は、このときのライン情報を、テレビ信号をカメラ２の撮影信号からプレーヤー３の再生信号に切り替えたときのずれ情報として、ずれ記憶部１８に記憶させる（ステップＳ３３１）。次に、制御部１７は、このずれ情報が「タイミング情報」より大きいか否かの判断をし（ステップＳ３２６）、大きいと判断した場合には、垂直描画期間のライン数を少なくし（ステップＳ３２７）、小さいと判断した場合には、垂直描画期間のライン数を多くする（ステップＳ３２８）。このときのライン数の増減は、液晶パネル１６の垂直描画期間のライン数の上限と下限の範囲内で行い、且つ、映像が乱れない範囲とする。このようにして、ビデオデコーダー１２から出力される垂直同期信号に同期するように、液晶パネル１６の垂直同期周波数を設定することができ、テレビ信号をカメラ２の撮影信号からプレーヤー３の再生信号に切り替えたときのずれ情報を取得することができる。
【００３８】
図７は、実施の形態１に係る映像表示装置１において、切り替え部１１から出力されるテレビ信号をプレーヤー３の再生信号からカメラ２の撮影信号に切り替えたときのずれ情報の取得処理を示すフローチャートである。図７のフローチャートは、ステップＳ３１１の処理が追加されている点において、図４のフローチャートと相違する。図７は、液晶パネル１６の垂直同期信号が、プレーヤー３の垂直同期信号に「タイミング情報」だけずれて同期している状態において、切り替え部１１を切り替え、カメラ２から出力されるテレビ信号を、ビデオデコーダー１２に入力する場合を示す。
【００３９】
図７に示されるように、ずれ情報の取得処理が開始すると（ステップＳ３０１）、制御部１７は、切り替え部１１を制御して、カメラ２から出力されるテレビ信号を、ビデオデコーダー１２に入力させる（ステップＳ３０２）。ビデオデコーダー１２は、垂直同期信号をデジタル信号として出力することができるため、垂直同期信号が得られるのを待つ（ステップＳ３０３，Ｓ３０４）。ステップＳ３０４で垂直同期信号が確認されれば、出力制御部１４に含まれるライン情報取得部１５は、ライン情報（何ライン目の水平ラインを描画しているのか）を取得する（ステップＳ３０５）。
【００４０】
制御部１７は、このときのライン情報を、テレビ信号をプレーヤー３の再生信号からカメラ２の撮影信号に切り替えたときのずれ情報として、ずれ記憶部１８に記憶させる（ステップＳ３１１）。次に、制御部１７は、このずれ情報が「タイミング情報」より大きいか否かの判断をし（ステップＳ３２６）、大きいと判断した場合には、液晶パネル１６の垂直描画期間のライン数を少なくし（ステップＳ３２７）、小さいと判断した場合には、液晶パネル１６の垂直描画期間のライン数を多くする（ステップＳ３２８）。このときのライン数の増減は、液晶パネル１６の垂直描画期間のライン数の上限と下限の範囲内で行い、且つ、映像が乱れない範囲とする。このようにして、ビデオデコーダー１２から出力される垂直同期信号に同期するように、液晶パネル１６の垂直同期周波数を設定することができ、テレビ信号をプレーヤー３の再生信号からカメラ２の撮影信号に切り替えたときのずれ情報を取得することができる。
【００４１】
ただし、一般的には、切り替え部１１で切り替える対象が２つの場合は、一方から他方に切り替えたときのずれ情報は、前記他方から前記一方に切り替えたときのずれ情報と絶対値が同じ値となり、符号が逆になる。例えば、切り替え部１１がカメラ２からプレーヤー３へ切り替えたときのずれ情報が「１００」である場合には、切り替え部１１がプレーヤー３からカメラ２へ切り替えたときのずれ情報は「−１００」になる。また、切り替える対象が３つ以上の場合も同様に、それぞれの切り替えについて、同様の処理にて、ずれ情報を取得することができる。
【００４２】
次に、カメラ２とプレーヤー３のそれぞれのずれ情報と、エレベータの速度信号を用いて、液晶パネル１６に表示する映像を切り替える処理を説明する。
【００４３】
一般に、エレベータ動作情報に基づいて、映像ソース蓄積装置から対応する映像信号を読み出し、エレベータかご内の映像表示装置に表示させるシステムにおいては、映像表示の切り替えをエレベータの動作に連動するように構成している（例えば、特許文献１参照）。しかし、入力信号の同期信号のずれによって映像が切り替わるタイミングが異なるので、エレベータの動作に映像切り替えのタイミングを正確に同期させることができないことがある。実施の形態１に係る映像表示装置においては、ビデオデコーダー１２から出力される出力側の垂直同期信号をずらしながら、入力側のテレビ信号を切り替えることによって、フレームメモリ１２の読み出し、書き込みタイミングを調整することができ、書き込み途中に読み出してしまうことによって発生する表示映像のノイズの発生を極力回避できるようにしている。
【００４４】
エレベータ制御部４はエレベータかごの速度制御を行い、現在の速度情報を周期的に制御部１７に送信する。その速度情報に基づいて、液晶パネル１６に表示する映像をプレーヤー３からカメラ２に切り替えるときの動作を、図８及び図９を用いて説明する。
【００４５】
図８は、実施の形態１に係る映像表示装置１におけるエレベータの速度と液晶パネル１６の垂直同期信号のずらし方（垂直同期周波数の変更の仕方）の説明図である。図８において、水平右方向は時間軸方向であり、点５１１〜５１４を結ぶ線の縦軸の位置は、垂直同期信号（垂直同期周波数）を示す。図８において、エレベータ速度は、エレベータを停止させるときの速度の変化の例を示している。このとき、時間の経過に伴い、エレベータ速度は、５ｋｍ／ｈ台（期間５０１）、４ｋｍ／ｈ台（期間５０２）、３ｋｍ／ｈ台（期間５０３）というように、徐々に低下しているが、減速の仕方はエレベータシステムで予め決められており、エレベータがいずれのフロアに停止するときも、同じ減速の仕方で停止する。ここで、エレベータの速度が４ｋｍ／ｈになったときに、切り替え部１１から出力される信号を、プレーヤー３の再生信号からカメラ２の撮影信号に切り替える処理を開始する場合を説明する。
【００４６】
図９は、実施の形態１における、ずれ情報を用いて、切り替え部１１から出力されるテレビ信号をプレーヤー３の再生信号からカメラ２の撮影信号に切り替えるときの処理を示すフローチャートである。図９に示されるように、処理が開始されると（ステップＳ５５１）、制御部１７は、Ｆｌａｇ１及びＦｌａｇ２を初期値０にする（ステップＳ５５２）。Ｆｌａｇ１及びＦｌａｇ２は、同期処理完了判断に使用するフラグである。また、制御部１７は、切り替え部１１から出力されるテレビ信号をプレーヤー３の再生信号からカメラ２の撮影信号に切り替えるときのずれ情報を、ずれ記憶部１８から取得する（ステップＳ５５２）。
【００４７】
ビデオデコーダー１２は、プレーヤー３からの垂直同期信号をデジタル信号として出力し（ステップＳ５５３、Ｓ５５４）、制御部１７は、垂直同期信号が得られるのを待つ。制御部１７は、ステップＳ５５４で垂直同期信号が確認されれば、ライン情報をライン情報取得部１５から取得する（ステップＳ５５５）。
【００４８】
制御部１７は、取得されたライン情報が、「タイミング情報＋（ずれ情報／２）」より大きいか否かを判断し（ステップＳ５５６）、大きいと判断した場合には、液晶パネル１６の垂直描画期間のライン数を少なくし（ステップＳ５５７）、「Ｆｌａｇ１＝１」とする（ステップＳ５５８）。制御部１７は、ステップＳ５５６で小さいと判断した場合は、液晶パネル１６の垂直描画期間のライン数を多くし（ステップＳ５５９）、Ｆｌａｇ２＝１とする（ステップＳ５６０）。
【００４９】
制御部１７は、「Ｆｌａｇ１＝１かつＦｌａｇ２＝１であるか」の判断を行い（ステップＳ５６１）、判断がＮｏの場合は、まだライン情報が、「タイミング情報＋（ずれ情報／２）」に達していないため、処理をステップＳ５５３に戻す。制御部１７は、ステップＳ５６１の判断がＹｅｓの場合、垂直同期信号が、プレーヤー３の垂直同期信号とカメラ２の垂直同期信号のずれの半分、すなわち、「タイミング情報＋（ずれ情報／２）」に調整されたことになるので、切り替え部１１から出力されるテレビ信号をカメラ２の撮影信号に切り替える（ステップＳ５６２）。このとき、液晶パネル１６の表示映像は、プレーヤー３の映像からカメラ２の映像に切り替わる。
【００５０】
この時点では、垂直同期周波数をプレーヤー３の垂直同期周波数とカメラ２の垂直同期周波数のずれ（差）の半分までずらした状態である。この後は、制御部１７は、液晶パネル１６の垂直同期信号を、カメラ２の垂直同期信号に徐々に近づけ、カメラ２の垂直同期信号にする処理を行う。ビデオデコーダー１２は、カメラ２からの垂直同期信号をデジタル信号として出力しており、制御部１７は、垂直同期信号が得られるのを待つ（ステップＳ５６３，Ｓ５６４）。ステップＳ５６４で垂直同期信号が確認されれば、ライン情報をライン情報取得部１５から取得する（ステップＳ５６５）。
【００５１】
制御部１７は、このときのライン情報が、「タイミング情報」より大きいか判断し（ステップＳ５６６）、大きいと判断した場合には、液晶パネル１６の垂直描画期間のライン数を少なくし（ステップＳ５６７）、ステップＳ５６６で小さいと判断した場合には、液晶パネル１６の垂直描画期間のライン数を多くする（ステップＳ５６８）。制御部１７は、ステップＳ５６７及びステップＳ５６８の処理後、処理をステップＳ５６３に戻し、繰り返しライン数の調整を行い、最終的にライン情報は、「タイミング情報」に収束する。
【００５２】
図９の処理を、図８の「液晶パネルの垂直同期信号のずらし方（垂直同期周波数の変更の仕方）」で説明すると、時点５１１でエレベータ速度が４ｋｍ／ｈになったときに、図９のステップＳ５５１からの処理を開始し、徐々に垂直同期信号をずらす。傾斜した線５１２は、液晶パネル１６の垂直同期信号（垂直同期周波数）が徐々にカメラ２の垂直同期信号に近づいていることを示す。そして、図８の時点５１３で、ずれは半分（プレーヤーとカメラの垂直同期周波数の中間位置）まで到達すると、図９のステップＳ５６２で切り替え部１１がカメラ２側に切り替わる。ここから、カメラ２の垂直同期信号で液晶パネル１６の垂直同期信号の調整が行われ、点５１４でカメラ２の垂直同期信号に、「タイミング情報」分だけずれた状態で液晶パネル１６の垂直同期信号が収束し、調整が終了する。
【００５３】
以上に説明したように、実施の形態１に係る映像表示装置によれば、入力されるテレビ信号の垂直同期信号（第１の垂直同期信号）とタイミング情報に基づいて、出力制御部１４から出力される垂直同期信号（第２の垂直同期信号）を出力させるように制御するので、フレームメモリ１３へのデジタル映像データの書き込み途中に、フレームメモリ１３からデジタル映像データを読み出してしまうことによって発生する表示映像のノイズの発生を防止することができる。
【００５４】
また、実施の形態１に係る映像表示装置によれば、プレーヤー３からカメラ２への切り替えのときに、液晶パネル１６の垂直同期信号を、プレーヤー３の垂直同期信号とカメラ２の垂直同期信号のずれを考慮してあわせるようにできるため、液晶パネル１６の表示映像に表示されるノイズの発生を抑えることができる。
【００５５】
また、実施の形態１に係る映像表示装置によれば、液晶パネル１６の垂直同期信号を液晶パネル１６の表示されない部分（非表示部分）のライン数を変更することで調整しているので、液晶パネル１６の表示が乱れることなく同期信号の調整を行うことができる。
【００５６】
なお、上記説明においては、プレーヤー３からカメラ２への切り替え処理では、ライン情報が、「タイミング情報＋（ずれ情報／２）」に達したときに切り替え部１１をカメラ２側に切り替える場合を説明したが、ライン情報が、「タイミング情報＋（ずれ情報／Ｎ）」（Ｎは１以上）となったときに切り替えるようにしてもよい。例えば、Ｎ＝１の場合、「タイミング情報＋（ずれ情報）」となったときにカメラ２側に切り替わり、この後の液晶パネルの垂直同期信号の調整は不要になる。
【００５７】
実施の形態２．
図９（実施の形態１）のフローチャートの処理では、ステップＳ５５５及びＳ５６５で取得するライン情報が「タイミング禁止情報」と一致した場合であって、ライン数の増加（Ｓ５５９，Ｓ５６８）、減少（Ｓ５５７，Ｓ５６７）を緩やかに行うので、比較的長い時間、表示映像にノイズが現われてしまう。実施の形態２においては、取得するライン情報が「タイミング禁止情報」と一致した場合に調整するライン数を、「タイミング禁止情報」を超えるようなライン数とし、表示映像にノイズが発生する状態から即座に脱するように構成してもよい。
【００５８】
図１０は、実施の形態２に係る映像表示装置において、切り替え部１１から出力されるテレビ信号をプレーヤー３の再生信号からカメラ４の撮影信号に切り替えるときの処理（タイミング禁止情報を用いる処理）を示すフローチャートである。図１０において、図９と同じ処理については、同じ符号を付す。他の点において、実施の形態２は、実施の形態１と同じである。したがって、実施の形態２の説明においては、図１をも参照する。
【００５９】
図１０において、ステップＳ５５１〜Ｓ５５６の処理の後に、制御部１７は、ライン情報が「タイミング禁止情報」と一致するか否かを判断し（ステップＳ５８１）、一致する場合には、「タイミング禁止情報」を超えるように、ライン数を少なくする処理を行う（ステップＳ５８２）か、又は、ライン情報が「タイミング禁止情報」と一致するか否かを判断し（ステップＳ５８３）、一致する場合には、「タイミング禁止情報」を超えるように、ライン数を多くする処理を行う（ステップＳ５８４）。
【００６０】
さらに、図１０において、ステップＳ５５７〜Ｓ５６６の処理の後に、制御部１７は、ライン情報が「タイミング禁止情報」と一致するか否かを判断し（ステップＳ５９１）、一致する場合には、「タイミング禁止情報」を超えるように、ライン数を少なくする処理を行う（ステップＳ５９２）か、又は、ライン情報が「タイミング禁止情報」と一致するか否かを判断し（ステップＳ５９３）、一致する場合には、「タイミング禁止情報」を超えるように、ライン数を多くする処理を行う（ステップＳ５９４）。
【００６１】
以上に説明したように、実施の形態２に係る映像表示装置によれば、液晶パネル１６の垂直同期信号の調整のためにライン数をずらす際に生じる可能性のある表示映像のノイズ発生を抑えることができる。また、実施の形態２に係る映像表示装置においては、取得するライン情報が「タイミング禁止情報」と一致した場合に調整するライン数を、「タイミング禁止情報」を超えるようなライン数とする処理を行うので、表示映像にノイズが発生する状態から即座に脱することができる。
【００６２】
実施の形態３．
図８（実施の形態１）に示す動作においては、エレベータ速度情報は、プレーヤー３から、カメラ２への切り替えイベントとしてのみ使用していたが、例えば、切り替えの完了をエレベータ速度４ｋｍ／ｈ台の期間で完了するように、垂直同期信号を変更する際に用いる係数を調整するように構成してもよい。例えば、図９のフローチャートのステップＳ５５７，Ｓ５５９，Ｓ５６７，Ｓ５６８で実行される垂直描画期間のライン数の減少、増加について、これらの処理１回につき減少又は増加するライン数を、ずれ情報と、エレベータの速度４ｋｍ／ｈが持続する時間を用いて、算出して決めてもよい。
【００６３】
一例とし、ずれ情報が「１２０（ライン）」であり、カメラ２及びプレーヤー３の垂直同期周波数が約６０Ｈｚであり、エレベータの速度４ｋｍ／ｈ台である時間が２秒である場合、１２０ラインずれている状態を、２秒間で１２０回発生する垂直同期でずらす必要がある。このため、１回の垂直同期信号で、垂直描画期間のライン数を１ライン増加又は減少すれば、２秒間で垂直描画期間の１２０ラインずらす処理が完了する。したがって、プレーヤー３からカメラ２への切り替えは、エレベータ速度４ｋｍ／ｈ台の時間である２秒の半分、すなわち、１秒の時点で切り替わるようになる。
【００６４】
図１１は、実施の形態３に係る映像表示装置における、エレベータの速度と液晶パネル１６の垂直同期信号のずらし方（垂直同期周波数の変更の仕方）の説明図である。図１１において、水平右方向は時間軸方向であり、点６１１〜６１４を結ぶ線の縦軸の位置は、垂直同期信号（垂直同期周波数）を示す。図１１でエレベータ速度が４ｋｍ／ｈになったとき（時点６１１）に、図９のステップＳ５５１から処理を開始し、徐々に同期信号をずらす処理を行う。傾斜した線６１２は、垂直同期信号（垂直同期周波数）が徐々にカメラ２の垂直同期信号（垂直同期周波数）に近づいていることを示す。そして、図１１の時点６１３で、ずれが半分の値（プレーヤーとカメラの垂直同期周波数の中間位置）になると、図９のステップＳ５６２で切り替え部１１が、出力するテレビ信号をカメラ２からのテレビ信号に切り替える。このとき、エレベータ速度は４ｋｍ／ｈの期間６０２の半分の位置である。ここから、カメラ２の垂直同期信号で液晶パネル１６の垂直同期信号の調整が行われ、時点６１４でカメラ２の垂直同期信号に、「タイミング情報」分だけずれた状態で液晶パネル１６の垂直同期信号が収束し、調整が終了する。このとき、エレベータ速度は、３ｋｍ／ｈ台に移行する（図１１の期間６０３）。
【００６５】
また、図１１においては、液晶パネル１６の垂直同期信号（垂直同期周波数）を緩やかに変更した場合を説明したが、図１２に示されるように、ずれ情報に基づいてまず半分の値（プレーヤーとカメラの垂直同期周波数の中間位置）にずらし（図１２の時点６２３）、エレベータの速度が３ｋｍ／ｈになったとき（時点６２４）、図９のステップＳ５６２で切り替え部１１から出力されるテレビ信号をカメラ２からのテレビ信号に切り替えるように構成してもよい。
【００６６】
図１２は、実施の形態３に係る映像表示装置における、エレベータの速度と液晶パネル１６の垂直同期信号のずらし方（垂直同期周波数の変更の仕方）の他の例の説明図である。図１２において、水平右方向は時間軸方向であり、点６２１〜６２５を結ぶ線の縦軸の位置は、垂直同期信号（垂直同期周波数）を示す。また、図１３は、実施の形態３に係る映像表示装置における、ずれ情報とエレベータ速度情報を用いて、切り替え部１１から出力されるテレビ信号をプレーヤー３の再生信号からカメラ２の撮影信号に切り替えるときの処理を示すフローチャートである。図１３のフローチャートは、ステップＳ６３１の処理が追加されている点で、図９のフローチャートと相違する。
【００６７】
図１２の時点６２１でエレベータ速度が４ｋｍ／ｈになったときに、図１３のステップＳ５５１からの処理を開始し、液晶パネルの垂直同期信号（垂直同期周波数）を徐々にずらす処理を行う。図１２の傾斜した線６２２は、液晶パネルの垂直同期信号（垂直同期周波数）が徐々にカメラ２の垂直同期信号（垂直同期周波数）に近づいていることを示す。そして、図１２の時点６２３で、ずれは半分になり、図１３のステップＳ６３１で待機する。
【００６８】
ステップＳ６３１で、エレベータ速度が指定の速度（ここでは、３ｋｍ／ｈ）になったとき、図９のステップＳ５６２で切り替え部１１から出力されるテレビ信号をカメラ２からのテレビ信号に切り替える。このとき、図１２は、時点６２４であり、ここから、カメラ２の垂直同期信号で液晶パネル１６の垂直同期信号の調整が行われ、図１２の時点６２５でカメラ２の垂直同期信号に、「タイミング情報」分だけずれた状態で液晶パネル１６の垂直同期信号が収束し、調整が終了する。
【００６９】
以上に説明したように、実施の形態３に係る映像表示装置においては、安全のため常に一定の速度変化を行うエレベータ速度に同期して画面切り替えを行うことで、エレベータがフロアへ停止するとき、又はフロアから発進するときに、常に同じタイミングで映像の切り替えを行うことができる。
【００７０】
実施の形態４．
実施の形態１（図８）及び実施の形態３（図１１、図１２）の動作説明においては、エレベータ速度情報に基づき液晶パネル１６の垂直同期信号のずらし方（垂直同期周波数の変更の仕方）を説明した。しかし、液晶パネル１６の垂直同期信号を、エレベータ制御部４が出力する、次に停止する階床情報（「かご停止予定階床情報」と言う）と、現在のかごの位置情報（「かご位置情報」と言う）を用いて制御してもよい。
【００７１】
利用者が各階のエレベータ乗り場でエレベータの搭乗ボタンを押したとき又は利用者がエレベータかご内でエレベータの停止階ボタンを押したときに、エレベータ制御部４は、そのときのエレベータかごの速度とそのときのかど位置情報とに基づいて、搭乗希望階又は停止希望階でエレベータが停止可能かどうかを判断し、停止可能であれば、次に停止する階床情報である「かご停止予定階床情報」として登録する。このような制御方法は、高速エレベータにおいて、エレベータを所望の階に安全に停止させるための方法である。例えば、エレベータかごが１階に向かって下降しており、１０階を通過しているときに、エレベータかご内の利用者が９階の停止階ボタンを押した場合、エレベータ制御部４は、エレベータを希望階に安全に停止できないと判断して、次に停止する階床情報である「かご停止予定階床情報」として登録しない。また、例えば、エレベータかごが１階に向かって下降しており、１０階を通過しているときに、エレベータかご内の利用者が６階の停止階ボタンを押した場合は、エレベータを希望階に安全に停止できると判断して、次に停止する階床情報である「かご停止予定階床情報」に登録する。
【００７２】
実施の形態４においては、停止する階床情報である「かご停止予定階床情報」と、現在のかごの位置情報の差を用いて、液晶パネル１６の垂直同期信号のずれを制御する場合を説明する。
【００７３】
図１４は、実施の形態４に係る映像表示装置における、エレベータの「かご停止予定階床情報」及び「かご位置情報」と液晶パネル１６の垂直同期信号のずらし方（垂直同期周波数の変更の仕方）の一例の説明図である。図１４において、水平右方向は時間軸方向であり、点６７１〜６７５を結ぶ線の縦軸の位置は、垂直同期信号（垂直同期周波数）を示す。図１４は、エレベータかごが１０階（１０Ｆ）を通過しているときに、「かご停止予定階床情報」では「１階停止」する予定で動作している場合を示す。すなわち、「かご位置情報」が１０階（符号６６１）のときには、「かご停止予定階床情報」は「１階停止」（符号６５１）の予定である。ここで、エレベータかごが９階通過中に、エレベータかご利用者が６階で停止するよう求め、６階に安全に停止できると判断された場合、「かご停止予定階床情報」は、「６階停止」に切り替わる。
【００７４】
「かご停止予定階床情報」と「かご位置情報」の差を用いて、例えば、この差が「２階」になったときに液晶パネル１６の垂直同期信号のずらしを開始し、差が「１階」になったときにカメラ２に表示する映像をカメラ２に切り替えるように構成した場合、図１４において、時点６７１で、徐々に同期信号がずれはじめ、時点６７３でプレーヤー３からカメラ２に切り替わる。それから、カメラ２の垂直同期信号で液晶パネル１６の垂直同期信号の調整が行われ、図１４の時点６７４でずらしの処理が終了する。
【００７５】
以上に説明したように、実施の形態４に係る映像表示装置によれば、エレベータかごが停止する情報に基づき液晶パネル１６に表示する映像の切り替え準備を行い、エレベータかごの現在位置に基づいて画面切り替えを行うことで、フロアへの停止のとき、常に同じタイミングで映像の切り替えを行うことができる。
【００７６】
また、実施の形態４に係る映像表示装置によれば、エレベータの速度情報だけでなく、エレベータの停止予定に基づいて、映像切り替えを行うことができ、エレベータの動きに連動した多彩な映像切り替えができる。
【００７７】
さらに、実施の形態４に係る映像表示装置によれば、実施の形態１及び３で説明したエレベータ速度情報と、「かご停止予定階床情報」と「かご位置情報」の差の情報を組み合わせて映像の切り替えを行ってもよく、この場合には、さらに多彩な映像切り替えを行うことができる。
【００７８】
実施の形態５．
実施の形態１（図５）においては、カメラ２の垂直同期信号と液晶パネル１６の垂直同期信号とが、ほぼ同じ垂直同期周波数で発生する場合を説明したが、テレビ信号であるＮＴＳＣ信号、ＰＡＬ信号、及びＳＥＣＡＭ信号の垂直同期周波数はそれぞれ、約６０Ｈｚ、約５０Ｈｚ、及び約５０Ｈｚである。これに対し、液晶パネル１６の垂直同期周波数は、種々の値が存在するが、一般的には６０Ｈｚである。
【００７９】
カメラ２の出力信号がＮＴＳＣ信号であり、液晶パネル１６の垂直同期周波数が６０Ｈｚである場合には、図５の例で説明した処理によって、ノイズのない映像を液晶パネル１６に表示できる。しかし、カメラ２の出力信号がＰＡＬ信号又はＳＥＣＡＭ信号（いずれの垂直同期周波数も５０Ｈｚ）であり、液晶パネル１６の垂直同期周波数が６０Ｈｚである場合には、垂直同期周波数の差が１０Ｈｚと大きいので、すべての信号について同期あわせを行うことができない。実施の形態５においては、このような場合の処理を説明する。なお、実施の形態５の説明においても、図１を参照する。
【００８０】
図１５は、実施の形態５に係る映像表示装置における、垂直同期信号のずれ（垂直同期周波数の差によるずれ）の説明図である。図１５において、水平右方向は時間軸方向である。図１５に示されるように、ＰＡＬ方式又はＳＥＣＡＭ方式の（「ＰＡＬ／ＳＥＣＡＭ」と記す。）カメラ２から出力される垂直同期信号のタイミングは、ＰＡＬ／ＳＥＣＡＭカメラ２から出力される垂直同期信号の５回に１回だけ、６０Ｈｚの液晶パネル１６の垂直同期信号のタイミングに近いタイミングとなる。図１５の例では、カメラ２の垂直同期信号７０１と液晶パネル１６の垂直同期信号７２１の組（領域７４１で囲う部分）と、カメラ２の垂直同期信号７０６と液晶パネル１６の垂直同期信号７２７の組（領域７４２で囲う部分）のタイミングでのみ、垂直描画期間のライン数の増減処理を実行する。すなわち、ＮＴＳＣ信号の垂直同期信号の周期と、ＰＡＬ信号又はＳＥＣＡＭ信号の垂直同期信号の周期との最小公倍数で示される時間ごとに、垂直描画期間のライン数の増減処理を行う。
【００８１】
図１６は、実施の形態５に係る映像表示装置において、切り替え部１１から出力されるテレビ信号をプレーヤー３の再生信号からカメラ４の撮影信号に切り替えるときの処理を示すフローチャートである。図１６において、図９に示される処理と同じ処理には、同じ符号を付す。図１６は、ステップＳ８０１，…，Ｓ８０４の処理及びステップＳ８１１，…，Ｓ８１４の処理が追加されている点が、図９に示される処理と相違する。
【００８２】
図１６のステップＳ８０１，…，Ｓ８０４の処理においては、制御部１７は、カウンタＮを初期化して０にし（ステップＳ８０１）、Ｎ＞４であるか否かの判断をし（ステップＳ８０２）、判断結果がＮｏであれば、Ｎ＝Ｎ＋１として（ステップＳ８０３）、処理をステップＳ５５３に戻す。また、ステップＳ８０２で判断結果がＹｅｓであれば、制御部１７は、Ｎ＝０とした上で（ステップＳ８０４）、処理をステップＳ５５５に進める。
【００８３】
図１６のステップＳ８１１，…，Ｓ８１４の処理においては、制御部１７は、再度カウンタＮを初期化して０にし（ステップＳ８１１）、Ｎ＞４であるか否かの判断をし（ステップＳ８１２）、判断結果がＮｏであれば、Ｎ＝Ｎ＋１として（ステップＳ８１３）、処理をステップＳ５６３に戻す。また、ステップＳ８１２で判断結果がＹｅｓであれば、制御部１７は、Ｎ＝０とした上で（ステップＳ８１４）、処理をステップＳ５６５に進める。
【００８４】
以上に説明したように、実施の形態５に係る映像表示装置においては、ステップＳ８０１，…，Ｓ８０４の処理及びステップＳ８１１，…，Ｓ８１４の処理を追加して、ＰＡＬ／ＳＥＣＡＭカメラ２の垂直同期信号の５回に１回だけ同期処理を実行することによって、ＰＡＬ／ＳＥＣＡＭカメラ２の垂直同期信号を、垂直同期周波数６０Ｈｚの液晶パネル１６の垂直同期信号に見かけ上同期させることができる。このため、実施の形態５に係る映像表示装置によれば、フレームメモリ１３への書き込み及びフレームメモリ１３からの読み出しのタイミングを制御することによって、液晶パネル１６に表示される映像のノイズの発生を低減することができる。
【符号の説明】
【００８５】
１  映像表示装置、  ２  カメラ、  ３  プレーヤー、  ４  エレベータ制御部、  １１  切り替え部、  １２  ビデオデコーダー、  １３  フレームメモリ、  １４  出力制御部、  １５  ライン情報取得部、  １６  液晶パネル、  １７  制御部、  １８  ずれ記憶部、  １９  タイミング情報記憶部。
【図１】
0005614977.tif 000002
【図２】
0005614977.tif 000003
【図３】
0005614977.tif 000004
【図４】
0005614977.tif 000005
【図５】
0005614977.tif 000006
【図６】
0005614977.tif 000007
【図７】
0005614977.tif 000008
【図８】
0005614977.tif 000009
【図９】
0005614977.tif 000010
【図１０】
0005614977.tif 000011
【図１１】
0005614977.tif 000012
【図１２】
0005614977.tif 000013
【図１３】
0005614977.tif 000014
【図１４】
0005614977.tif 000015
【図１５】
0005614977.tif 000016
【図１６】
0005614977.tif 000017